【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
サービングセルにおいてサービスされる少なくとも第１のユーザ機器（ＵＥ）への干渉を引き起こすかまたは潜在的に引き起こす１つまたは複数のセルに関する支援情報を決定することと、ここで、前記支援情報は、前記１つまたは複数のセルの半静的伝送特性を備える、
前記支援情報を前記第１のＵＥにシグナリングすることと
を備える、方法。
【請求項２】
前記支援情報が、無線リソース制御（ＲＲＣ）シグナリングを介してシグナリングされ、前記ＲＲＣシグナリングが、干渉を引き起こすかまたは潜在的に引き起こす前記１つまたは複数のセルによって送信される、請求項１に記載の方法。
【請求項３】
前記１つまたは複数のセルの前記半静的伝送特性が、前記１つまたは複数のセルのうちの少なくとも１つによって使用される送信電力比（ＴＰＲ）値のセットを備える、または、前記１つまたは複数のセルの前記半静的伝送特性が、前記１つまたは複数のセルのうちの少なくとも１つによって使用される送信スキームまたは変調制限のセットを備える、または、前記１つまたは複数のセルの前記半静的伝送特性が、前記１つまたは複数のセルのうちの少なくとも１つによって使用されるリソース割振りタイプ制限のセットを備える、または、前記１つまたは複数のセルの前記半静的伝送特性が、前記１つまたは複数のセルのうちの少なくとも１つによって使用される可能なダウンリンク制御情報（ＤＣＩ）サイズまたはフォーマットのセットを備える、または、前記１つまたは複数のセルの前記半静的伝送特性が、前記１つまたは複数のセルのうちの少なくとも１つによって使用される可能な無線ネットワーク一時識別子（ＲＮＴＩ）のセットを備える、または、前記１つまたは複数のセルの前記半静的伝送特性が、前記１つまたは複数のセルのうちの少なくとも１つによって使用される仮想セル識別子（ＩＤ）のセットを備える、請求項１に記載の方法。
【請求項４】
前記ＢＳが限定加入者グループ（ＣＳＧ）セルを備え、
前記支援情報がオープンアクセスセルに関連する、請求項１に記載の方法。
【請求項５】
ワイヤレス通信のための基地局（ＢＳ）であって、
サービングセルにおいてサービスされる少なくとも第１のユーザ機器（ＵＥ）への干渉を引き起こすかまたは潜在的に引き起こす１つまたは複数のセルに関する支援情報を決定することと、ここで、前記支援情報は、前記１つまたは複数のセルの半静的伝送特性を備える、
前記支援情報を前記第１のＵＥにシグナリングすることと
を行うように構成されたプロセッサと、
前記プロセッサに結合されたメモリと
を備える、ＢＳ。
【請求項６】
前記支援情報が、無線リソース制御（ＲＲＣ）シグナリングを介してシグナリングされ、前記ＲＲＣシグナリングが、干渉を引き起こすかまたは潜在的に引き起こす前記１つまたは複数のセルによって送信される、請求項５に記載のＢＳ。
【請求項７】
前記１つまたは複数のセルの前記半静的伝送特性が、前記１つまたは複数のセルのうちの少なくとも１つによって使用される送信電力比（ＴＰＲ）値のセットを備える、または、前記１つまたは複数のセルの前記半静的伝送特性が、前記１つまたは複数のセルのうちの少なくとも１つによって使用される送信スキームまたは変調制限のセットを備える、または、前記１つまたは複数のセルの前記半静的伝送特性が、前記１つまたは複数のセルのうちの少なくとも１つによって使用されるリソース割振りタイプ制限のセットを備える、または、前記１つまたは複数のセルの前記半静的伝送特性が、前記１つまたは複数のセルのうちの少なくとも１つによって使用される可能なダウンリンク制御情報（ＤＣＩ）サイズまたはフォーマットのセットを備える、または、前記１つまたは複数のセルの前記半静的伝送特性が、前記１つまたは複数のセルのうちの少なくとも１つによって使用される可能な無線ネットワーク一時識別子（ＲＮＴＩ）のセットを備える、または、前記１つまたは複数のセルの前記半静的伝送特性が、前記１つまたは複数のセルのうちの少なくとも１つによって使用される仮想セル識別子（ＩＤ）のセットを備える、請求項５に記載のＢＳ。
【請求項８】
前記ＢＳが限定加入者グループ（ＣＳＧ）セルを備え、
前記支援情報がオープンアクセスセルに関連する、請求項５に記載のＢＳ。
【請求項９】
基地局（ＢＳ）によるワイヤレス通信のためのコンピュータプログラムであって、
サービングセルにおいてサービスされる少なくとも第１のユーザ機器（ＵＥ）への干渉を引き起こすかまたは潜在的に引き起こす１つまたは複数のセルに関する支援情報を決定することと、ここで、前記支援情報は、前記１つまたは複数のセルの半静的伝送特性を備える、
前記支援情報を前記第１のＵＥにシグナリングすることと
を行うためのコードを備える、コンピュータプログラム。
【請求項１０】
前記支援情報が、無線リソース制御（ＲＲＣ）シグナリングを介してシグナリングされる、または、
前記ＢＳが限定加入者グループ（ＣＳＧ）セルを備え、
前記支援情報がオープンアクセスセルに関連する、
請求項９に記載のコンピュータプログラム。
【請求項１１】
前記１つまたは複数のセルの前記半静的伝送特性が、前記１つまたは複数のセルのうちの少なくとも１つによって使用される送信電力比（ＴＰＲ）値のセットを備える、または、前記１つまたは複数のセルの前記半静的伝送特性が、前記１つまたは複数のセルのうちの少なくとも１つによって使用される送信スキームまたは変調制限のセットを備える、または、前記１つまたは複数のセルの前記半静的伝送特性が、前記１つまたは複数のセルのうちの少なくとも１つによって使用される可能な無線ネットワーク一時識別子（ＲＮＴＩ）のセットを備える、請求項９に記載のコンピュータプログラム。
【請求項１２】
ユーザ機器（ＵＥ）によるワイヤレス通信のための方法であって、
サービングセルにおいてサービスされる少なくとも前記ＵＥへの干渉を引き起こすかまたは潜在的に引き起こす１つまたは複数のセルに関する支援情報のシグナリングを受信することと、ここで、前記支援情報は、前記１つまたは複数のセルの半静的伝送特性を備える、
前記サービングセル、または干渉を引き起こす１つまたは複数のセルのうちの少なくとも１つからの送信による干渉を緩和するために前記情報を使用することと
を備える、方法。
【請求項１３】
支援情報のシグナリングを受信することが、非サービング限定加入者グループ（ＣＳＧ）セルから支援情報のシグナリングを受信することを備え、
前記支援情報がオープンアクセスセルに関連する、請求項１２に記載の方法。
【請求項１４】
ワイヤレス通信のためのユーザ機器（ＵＥ）であって、
サービングセルにおいてサービスされる少なくとも前記ＵＥへの干渉を引き起こすかまたは潜在的に引き起こす１つまたは複数のセルに関する支援情報のシグナリングを受信することと、ここで、前記支援情報は、前記１つまたは複数のセルの半静的伝送特性を備える、
前記サービングセル、または干渉を引き起こす１つまたは複数のセルのうちの少なくとも１つからの送信による干渉を緩和するために前記情報を使用することと
を行うように構成されたプロセッサと、
前記プロセッサに結合されたメモリと
を備える、ＵＥ。
【請求項１５】
前記プロセッサが、非サービング限定加入者グループ（ＣＳＧ）セルから支援情報のシグナリングを受信するようにさらに構成され、
前記支援情報がオープンアクセスセルに関連する、
請求項１４に記載のＵＥ。